(57)【要約】      （修正有）【課題】鼻当てパッドが取り付けられるパッドアームの耐久性を向上する。【解決手段】鼻当て部２８は、断面コの字形状を呈し、樹脂から成る保持部材２０を備える。保持部材２０のコの字内部に、眼鏡のブリッジ１５を、その後方から嵌合する。保持部材２０の内部には、図中左右に延びる連接部を埋設する。連接部の両端には、折り曲げられて接続するアーム部２５、２６を設ける。アーム部２５、２６は、保持部材２０の背面から後方に向けて延出する。アーム部２５、２６の先端には、鼻当てパッド２３、２４を設ける。連接部と両アーム部２５、２６は、可撓性を有し金属から成るパッドアームとして一体に成形する。【選択図】図４
0003115312.tif 000002
【実用新案登録請求の範囲】
【請求項１】
樹脂から形成されるとともに、眼鏡のブリッジに沿って延びる溝を有し、その溝内部にブリッジを嵌合させ、前記ブリッジに取付可能な保持部材と、
前記保持部材の内部に埋設され前記溝が延びる方向に沿って延びる連接部と、前記連接部の両端に接続され、前記保持部材から眼鏡後方に向かって外部に延出し、その先端部に鼻当てパッドが設けられるアーム部を有し、前記両アーム部と前記連接部が、可撓性を有し、一体に成形される金属から成るパッドアームと、
を備えることを特徴とする眼鏡の鼻当て部。
【請求項２】
前記保持部材は眼鏡前方側が開口され、前記ブリッジに対して前記後方から嵌合されることを特徴とする請求項１に記載の眼鏡の鼻当て部。
【請求項３】
前記保持部材には、前記溝の底面から前記後方に向けてさらに凹む凹部が設けられ、
前記ブリッジには、その背面から突出し、水平面に使用状態において略直交する方向に第１のネジ穴が挿通する突出部が設けられ、前記保持部材が前記ブリッジに嵌合すると、前記突出部は前記凹部の内部に嵌合させられ、
前記底面の前記後方には前記略直交する方向に挿通し、前記凹部に接続する第２のネジ穴が設けられ、
前記第１及び第２のネジ穴を通ってネジが螺合され、前記保持部材が前記ブリッジに固定されることを特徴とする請求項２に記載の眼鏡の鼻当て部。
【請求項４】
前記連接部は、前記溝の底面に沿って延びるとともに、前記凹部及び前記第２のネジ穴を避けるように前記後方に向かって屈曲させられることを特徴とする請求項３に記載の眼鏡の鼻当て部。
【請求項５】
前記保持部材が、断面コの字形状を呈することを特徴とする請求項１ないし４のいずれかに記載の眼鏡の鼻当て部。
【請求項６】
前記パッドアームは、１本の金属が、折り曲げられて成形されることを特徴とする請求項１ないし５のいずれかに記載の眼鏡の鼻当て部。
【考案の詳細な説明】
【技術分野】
【０００１】
本考案は、ブリッジに固定され、パッドアームが取り付けられる眼鏡の鼻当て部に関する。
【背景技術】
【０００２】
従来の眼鏡は、両レンズのリムから鼻当てアームが延出され、鼻当てアームの先端部に鼻当てパッドが取り付けられて構成される。鼻当てアームは、鼻当てパッドを装着者の鼻スジの幅や角度に合わせるために屈曲または伸縮し、特にスポーツや子供用の眼鏡は、激しい運動において使用され鼻当てアームにも強い力が作用されるので、高い伸縮性及び屈曲性が要求される。
【０００３】
しかし、従来、鼻当てアームは金属から成り、ロー付けや溶接等の熱加工によりリムに固定され、その熱加工により金属の弾力性が失われるので、鼻当てアームに高い伸縮性及び屈曲性を保持させることは困難である。また、金属に伸縮性及び屈曲性を持たせることができた場合でも、鼻当てアームに強い力が作用されると、その応力がリムと鼻当てアームの連結部分に集中し、アームはその連結部分から容易に曲げられ又は折られ、実用的ではない。さらには、鼻当てアームとリムを、ロー付けや溶接等によって連結すると、その連結部分は、他の部位に比べ耐久性が劣り、連結部分が破損されやすくなる。
【０００４】
そこで、従来、特許文献１に示すように、鼻当てアームとして、高い伸縮性及び屈曲性を有する樹脂製のものを使用することが知られている。しかし樹脂製の鼻当てアームは、金属に比べると、堅牢性が充分ではないとともに、鼻当てアームに作用された力の応力はリムと鼻当てアームの連結部分に集中し、その連結部分において容易に曲げられ、または折られてしまう。
【０００５】
特許文献１にはさらに、断面形状がコの字形状を呈し、鼻当てアームが設けられた保持部材が、後方からブリッジに嵌合され、ブリッジに固定されることが開示されている。この構成においては、保持部材がブリッジに着脱可能であるので、鼻当てアームに強い力が作用され変形等した場合でも、保持部材を取り替えることにより、眼鏡本体に関しては継続的に使用することができ、結果的に眼鏡を長期間に亘って使用することができる。
【特許文献１】特開２００４−１７０８９５号公報
【考案の開示】
【考案が解決しようとする課題】
【０００６】
しかし、特許文献１に記載の眼鏡においても、鼻当てアームが樹脂から成るので、金属に比べると、その堅牢性は充分ではない。また、樹脂製の鼻当てアームは、保持部材に接続または一体成型されているので、鼻当てアームに力が作用される場合、その応力はアームと保持部材の連結部分に比較的集中し、用途によっては、充分な耐久性を得ることができない場合がある。
【０００７】
そこで、本考案では、ブリッジに取り付ける保持部材に鼻当てアームを設ける場合において、高い伸縮性及び屈曲性を有し、かつ耐久性の高い鼻当てアームを提供することを目的とする。
【課題を解決するための手段】
【０００８】
本考案に係る眼鏡の鼻当て部は、樹脂から形成されるとともに、眼鏡のブリッジに沿って延びる溝を有し、その溝内部にブリッジを嵌合させ、ブリッジに取付可能な保持部材と、その保持部材に設けられるパッドアームを備える。そしてパッドアームは、保持部材の内部に埋設され溝が延びる方向に沿って延びる連接部と、連接部の両端に接続され、保持部材から眼鏡後方に向かって外部に延出し、その先端部に鼻当てパッドが設けられるアーム部を有し、両アーム部と連接部が、可撓性を有し、一体に成形される金属から成ることを特徴とする。
【０００９】
保持部材は眼鏡前方側が開口され、ブリッジに対して後方から嵌合されることが好ましい。
【００１０】
保持部材には、溝の底面から後方に向けてさらに凹む凹部が設けられ、ブリッジには、その背面から突出し、水平面に使用状態において略直交する方向に第１のネジ穴が挿通する突出部が設けられ、保持部材がブリッジに嵌合すると、突出部は凹部の内部に嵌合させられ、底面の後方には略直交する方向に挿通し、凹部に接続する第２のネジ穴が設けられ、第１及び第２のネジ穴を通ってネジが螺合され、保持部材がブリッジに固定されることが好ましい。
【００１１】
連接部は、溝の底面に沿って延びるとともに、凹部及び第２のネジ穴を避けるように後方に向かって屈曲させられることが好ましい。
【００１２】
保持部材が、断面コの字形状を呈することが好ましい。さらに、パッドアームは例えば、１本の金属が、折り曲げられて成形される。
【考案の効果】
【００１３】
本考案においては、鼻当てパッドが設けられるアーム部は、可撓性を有する金属で成形されることにより、伸縮性及び屈曲性に優れるとともに、保持部材に埋設された連接部を介して一体的に成形されるので、アーム部に作用される力の応力は一部に集中することがなく、耐久性に優れる。また、アーム部は、連接部と一体的に成形され、ロー付けや溶接等によって他の部位に連結される必要はないので、その連結部分から折られ、曲げられることがない。
【考案を実施するための最良の形態】
【００１４】
以下、本考案の具体的な実施形態を図面を参照しつつ説明する。
図１は、本考案の一実施形態に係る鼻当て部が適用された眼鏡の斜視図である。図２は、眼鏡の上面図、図３は、眼鏡の正面図である。眼鏡１０において、レンズ１１、１２を保持する金属製のリム１３、１４は金属製のブリッジ１５で連結され、リム１３はヨロイ部１６を介してテンプル１７と連結され、リム１４はヨロイ部１８を介してテンプル１９と連結されている。
【００１５】
ブリッジ１５には、ブリッジ１５に対して着脱自在な鼻当て部２８が取り付けられる。鼻当て部２８は、断面がコの字形状を呈し眼鏡１０の前方側が開口され、樹脂から形成される保持部材２０を有し、この保持部材２０のコの字内部にブリッジ１５が眼鏡の後方側から嵌合されることにより、ブリッジ１５に固定されている。保持部材２０の背面２０Ｂには、先端部に鼻当てパッド２３、２４が取り付けられたアーム部２５、２６が、眼鏡１０の後方に向かって延出している。
【００１６】
図４は、ブリッジ１５付近を拡大して示した斜視図である。図５は、鼻当て部２８のブリッジ１５への取付方法を示すための図である。図５に示すようにブリッジ１５は、その断面が略矩形または略方形を呈し、その背面１５Ｂの図中左右の略中央部に後方に向かって突出する突出部４１を備える。突出部４１には、水平面に使用状態においては略直交する方向（以下直交方向という）に挿通するネジ穴４２が設けられる。
【００１７】
保持部材２０は、その長手方向がブリッジ１５に沿って延びるとともに、その前面２０Ｆから眼鏡の後方に向かって凹み、長手方向に沿って延びる溝３１が設けられ、断面形状がコの字形状に成形される。保持部材２０は、溝３１の図中左右の略中央部にその溝３１から眼鏡の後方側に向かってさらに凹む凹部３２が設けられる。凹部３２には、略直交方向に保持部材２０の下面２０Ｄまで挿通するネジ穴３３（図６、７参照）が接続される。
【００１８】
保持部材２０は、溝３１内部にブリッジ１５が、凹部３２内部に突出部４１が嵌合されることにより、ブリッジ１５に取り付けられる。そして、ネジ４３が下方から上方に向かって、ネジ穴３３及びネジ穴４２を通って螺合することにより、保持部材２０がブリッジ１５に固定される。
【００１９】
図６は鼻当て部２８の正面図、図７は鼻当て部２８の上面図、図８は鼻当て部２８の部分的な斜視図である。保持部材２０には、パッドアーム５０が設けられ、パッドアーム５０は１本の金属線が折り曲げられて、一体的に成形される。具体的にはパッドアーム５０は、保持部材２０の長手方向に沿って延びる連接部５１と、その連接部５１の両端に折り曲げられて接続されるアーム部２５、２６から成る。連接部５１は、保持部材２０内部に埋設される一方、アーム部２５、２６は、保持部材２０の背面２０Ｂから外部に延出し、眼鏡の後方に向かって進んだ後、下方に向かって折り曲げられる。そしてその先端部は、略円形を描くように湾曲させられ、湾曲部６０、６１が形成される。湾曲部６０、６１の円形の内部には、鼻当てパッド２３、２４に設けられた突起７０、７１（図４、５参照）が挿通され、鼻当てパッド２３、２４がアーム部２５、２６に取り付けられる。パッドアーム５０は、可撓性がある金属であれば特に限定されないが、例えばβ−チタン等のチタン合金、またはバネ材等から成る。
【００２０】
図７に示すように連接部５１は、溝３１の底部３１Ｂに沿って延びるとともに、溝３１の後方（図７においては下側）に設けられた凹部３２及びネジ穴３３を避けるように、その中央部が後方に屈曲して成形される。なお、連接部５１の中央部は、屈曲されるときに、圧力が付勢されて屈曲されるので、図６に示すように、連接部５１の中央部の高さ（図６においては上下方向の長さ）は他の部分の高さに比べて大きくなる。
【００２１】
以上の構成により、アーム部２５、２６に力が作用され、アーム部２５、２６が撓むと、樹脂から形成される保持部材２０、及び可撓性のある連接部５１も同時に撓められ、作用される力の応力は、保持部材２０及び連接部５１の全体に作用される。すなわち、アーム部２５、２６に力が作用されても、アーム部２５、２６の一部に応力が集中されないので、アーム部２５、２６は破損されにくく、高い耐久性を有する。さらには、アーム部２５、２６は、連接部５１と一体的に成形され、ロー付けや溶接等によって他の部位に連結される必要はないので、連結部分から折られ、曲げられることがない。
【００２２】
また、本実施形態においては、パッドアーム５０が設けられた鼻当て部２８が、着脱自在にブリッジに取り付けられるので、パッドアーム５０が変形した場合においても、鼻当て部２８を取り替えることにより、眼鏡１０は継続使用することが可能である。
【図面の簡単な説明】
【００２３】
【図１】本考案の一実施形態に係る鼻当て部が適用された眼鏡の斜視図である。
【図２】本考案の一実施形態に係る鼻当て部が適用された眼鏡の上面図である。
【図３】本考案の一実施形態に係る鼻当て部が適用された眼鏡の正面図である。
【図４】本考案の一実施形態に係る鼻当て部が、ブリッジに取り付けられた状態を示す斜視図である。
【図５】本考案の一実施形態に係る眼鏡の鼻当て部と、ブリッジの分解斜視図である。
【図６】本考案の一実施形態に係る眼鏡の鼻当て部の正面図である。
【図７】本考案の一実施形態に係る眼鏡の鼻当て部の上面図である。
【図８】本考案の一実施形態に係る眼鏡の鼻当て部の部分的な斜視図である。
【符号の説明】
【００２４】
１０  眼鏡
１５  ブリッジ
２０  保持部材
２５、２６  アーム部
２８  鼻当て部
３１  溝
５０  パッドアーム
５１  連接部
【図１】
0003115312.tif 000003
【図２】
0003115312.tif 000004
【図３】
0003115312.tif 000005
【図４】
0003115312.tif 000006
【図５】
0003115312.tif 000007
【図６】
0003115312.tif 000008
【図７】
0003115312.tif 000009
【図８】
0003115312.tif 000010